(57)【特許請求の範囲】
【請求項１】
入力操作手段と表示手段とから構成される入力／表示装置と、記憶装置と、制御装置と、を少なくとも有する診療支援システムであって、
前記制御装置は、
前記入力／表示装置に表示された画面上から前記入力操作手段により入力された情報を改竄不可能な情報として、シートラベルによって識別されるシートと、該シートに関連付けられるグループと、該グループに関連づけられるセグメントと、該セグメントに関連づけられるデータ識別子によって関連付けて前記記憶装置に記憶する手段と、
前記画面上の任意の位置に複数のシートラベルを表示し、前記各シートラベル上で前記入力操作手段をスライド移動させる第１の操作において、前記入力操作手段が各シートラベル上を移動した際に、該シートラベルにより識別される前記改竄不可能な情報を前記記憶装置から読み出し、該情報を前記シートラベル毎に連続的に切り替えて前記入力／表示装置に表示する手段と、
前記入力／表示装置に、前記複数のシートラベルを表示するとともに、前記表示された全てのシートラベルの各シートラベルに関連付けて前記記憶装置に記憶されている前記グループのグループ識別情報を、前記表示された全てのシートラベルの前記各シートラベルの下側に表示する状態を第一の表示状態とし、
前記入力／表示装置に、前記複数のシートラベルを表示するが、前記情報を前記各シートラベルの下側に表示させない状態を第二の表示状態とし、
前記制御装置は、
前記第二の表示状態において、任意のシートラベル近傍を前記入力操作手段によりドラッグして上方向に移動させる所定の操作を受けて、前記画面上に表示された全てのシートラベルを引き上げ、前記グループのグループ識別情報を読み出して前記画面上の当該シートラベルが占有していた領域に表示し、前記第一の表示状態に移行する手段を有することを特徴とする診療支援システム。
【請求項２】
前記制御装置は、
前記画面上の任意の位置に表示された複数の入力欄のうち、任意の入力欄を前記入力操作手段によりドラッグし、前記シートラベル上でドロップする第２の操作において、前記ドラッグされた任意の入力欄の情報を、前記ドロップしたシートラベルに関連付け、且つ、該シートラベルに関連付けた前記任意の入力欄の情報を変更不可能な情報として前記入力／表示装置に表示する手段を有することを特徴とする請求項１記載の診療支援システム。
【請求項３】
前記制御装置は、
前記画面上の任意の位置に表示された入力欄を横切るように前記入力操作手段を水平方向にスライド移動させる第３の操作において、前記第３の操作の終了後、前記入力欄をセグメント分割し、且つ、前記入力欄毎に予め指定された順番のセグメントラベルを前記分割したセグメント内に付加して前記入力／表示装置に表示する手段を有することを特徴とする請求項１または２に記載の診療支援システム。
【請求項４】
前記制御装置は、
前記セグメント分割された入力欄のうち、任意のセグメントを前記入力操作手段によりドラッグし、前記シートラベル上でドロップする第４の操作において、前記ドラッグされた任意のセグメントの情報を、前記ドロップしたシートラベルに関連付け、且つ、該シートラベルに関連付けた前記任意のセグメントの情報を変更不可能な情報として前記入力／表示装置に表示する手段を有することを特徴とする請求項３記載の診療支援システム。
【請求項５】
前記制御装置は、
前記画面上の任意の位置に表示された画像イメージ上で任意の地点から他の任意の地点へ向けて前記入力操作手段を移動させる第５の操作において、前記画像イメージ上で移動した距離を計測し、該計測結果を前記画像イメージ上に重ねて前記入力／表示装置に表示する手段を有することを特徴とする請求項１から４のいずれか１項に記載の診療支援システム。
【請求項６】
前記制御装置は、
前記画面上の任意の位置に表示された画像イメージ上で任意の地点から弧を描くように前記入力操作手段を移動させる第６の操作において、前記弧の長さ及び方向に応じて、前記画像イメージを回転させて前記入力／表示装置に表示する手段を有することを特徴とする請求項１から５のいずれか１項に記載の診療支援システム。
【請求項７】
前記制御装置は、
前記画面上の任意の位置に表示された複数の入力欄のうち、任意の入力欄を前記入力操作手段によりドラッグし、前記画面内で移動させる第７の操作において、前記ドラッグされた任意の入力欄の移動に伴い前記任意の入力欄と重なる直前の他の入力欄を、前記任意の入力欄の移動と共に移動させ、前記他の入力欄を前記画面上の表示枠と重なる直前まで移動させた際に、前記任意の入力欄の移動に伴い、前記任意の入力欄を縮小、拡大させずに、前記他の入力欄を縮小、拡大または押しつぶして前記入力／表示装置に表示する、または、前記ドラッグされた任意の入力欄の移動に伴い、前記任意の入力欄を前記画面上の表示枠と重なる直前まで移動させた際に、前記任意の入力欄の移動に伴い、前記任意の入力欄を縮小、拡大または押しつぶして前記入力／表示装置に表示する手段を有することを特徴とする請求項１から６のいずれか１項に記載の診療支援システム。
【請求項８】
前記制御装置は、
前記入力操作手段により、前記記憶装置に記憶された改竄不可能な情報に対する変更操作が行われた際に、前記記憶装置に記憶された改竄不可能な情報のコピーを作成し、該作成したコピーに対して、変更元を明示する情報と前記入力操作手段を識別する情報と前記入力操作手段により画面上に入力した際の入力ストローク情報とを付加し、前記記憶装置に記憶された改竄不可能な情報とは別の情報として前記記憶装置に保存する手段を有することを特徴とする請求項１から７のいずれか１項に記載の診療支援システム。
【請求項９】
前記入力／表示装置は、
ペンタブレットであることを特徴とする請求項１記載の診療支援システム。
【請求項１０】
前記ペンタブレットは、
コードレス型のペンを備えたペンタブレットであることを特徴とする請求項９記載の診療支援システム。
【請求項１１】
前記表示手段は、
液晶ディスプレイであることを特徴とする請求項１記載の診療支援システム。
【請求項１２】
前記制御装置は、
前記画面上に情報を入力する前記入力操作手段を識別する識別手段と、
前記識別された前記入力操作手段により前記画面上に入力された情報を前記入力操作手段毎に識別して管理する手段と、
を更に有することを特徴とする請求項１から１１のいずれか１項に記載の診療支援システム。
【請求項１３】
前記識別手段は、
前記入力操作手段を識別する手段を有するバッチにより前記入力操作手段を識別することを特徴とする請求項１２記載の診療支援システム。
【請求項１４】
前記診療支援システムは、
他の入力手段と、他の表示手段と、前記表示手段と前記他の表示手段との少なくとも１つの表示手段に表示する情報を生成する情報生成手段と、
を更に有し、
前記情報生成手段は、
前記表示手段に表示する情報と前記他の表示手段に表示する情報とを異ならせるように制御することを特徴とする請求項１から１３のいずれか１項に記載の診療支援システム。
【請求項１５】
前記所定の操作は、前記画面上の任意の位置に表示された複数のシートラベルのうち、任意のシートラベル間を前記入力操作手段によりドラッグして上方向に移動させる操作であることを特徴とする請求項１または１４記載の診療支援システム。
【請求項１６】
入力操作手段と表示手段とから構成される入力／表示装置と、記憶装置と、制御装置と、を少なくとも有する診療支援システムにおける表示方法であって、
前記制御装置が、前記入力／表示装置に表示された画面上から前記入力操作手段により入力された情報を改竄不可能な情報として、シートラベルによって識別されるシートと、該シートに関連付けられるグループと、該グループに関連づけられるセグメントと、該セグメントに関連づけられるデータ識別子によって関連付けて前記記憶装置に記憶する工程と、
前記画面上の任意の位置に複数の各シートラベルを表示し、前記各シートラベル上で前記入力操作手段をスライド移動させる第１の操作において、前記入力操作手段が各シートラベル上を移動した際に、前記制御装置が、前記シートラベルにより識別される前記改竄不可能な情報を前記記憶装置から読み出し、該情報を前記シートラベル毎に連続的に切り替えて前記入力／表示装置に表示する工程と、
前記入力／表示装置に、前記複数のシートラベルを表示するとともに、前記表示された全てのシートラベルの各シートラベルに関連付けて前記記憶装置に記憶されている前記グループのグループ識別情報を、前記表示された全てのシートラベルの前記各シートラベルの下側に表示する状態を第一の表示状態とし、
前記入力／表示装置に、前記複数のシートラベルを表示するが、前記情報を前記各シートラベルの下側に表示させない状態を第二の表示状態とし、
前記制御装置が、前記第二の表示状態において、任意のシートラベル近傍を前記入力操作手段によりドラッグして上方向に移動させる所定の操作を受けて、前記画面上に表示された全てのシートラベルを引き上げ、前記グループのグループ識別情報を読み出して前記画面上の当該シートラベルが占有していた領域に表示し、前記第一の表示状態に移行する工程を行うことを特徴とする診療支援システムにおける表示方法。
【請求項１７】
前記画面上の任意の位置に表示された複数の入力欄のうち、任意の入力欄を前記入力操作手段によりドラッグし、前記シートラベル上でドロップする第２の操作において、前記制御装置が、前記ドラッグされた任意の入力欄の情報を、前記ドロップしたシートラベルに関連付け、且つ、該シートラベルに関連付けた前記任意の入力欄の情報を変更不可能な情報として前記入力／表示装置に表示する工程を行うことを特徴とする請求項１６記載の診療支援システムにおける表示方法。
【請求項１８】
前記画面上の任意の位置に表示された入力欄を横切るように前記入力操作手段を水平方向にスライド移動させる第３の操作において、前記第３の操作の終了後、前記制御装置が、前記入力欄をセグメント分割し、且つ、前記入力欄毎に予め指定された順番のセグメントラベルを前記分割したセグメント内に付加し前記入力／表示装置に表示する工程を行うことを特徴とする請求項１６または１７に記載の診療支援システムにおける表示方法。
【請求項１９】
前記セグメント分割された入力欄のうち、任意のセグメントを前記入力操作手段によりドラッグし、前記シートラベル上でドロップする第４の操作において、前記制御装置が、前記ドラッグされた任意のセグメントの情報を、前記ドロップしたシートラベルに関連付け、且つ、該シートラベルに関連付けた前記任意のセグメントの情報を変更不可能な情報として前記入力／表示装置に表示する工程を行うことを特徴とする請求項１８記載の診療支援システムにおける表示方法。
【請求項２０】
前記画面上の任意の位置に表示された画像イメージ上で任意の地点から他の任意の地点へ向けて前記入力操作手段を移動させる第５の操作において、前記制御装置が、前記画像イメージ上で移動した距離を計測し、該計測結果を前記画像イメージ上に重ねて前記入力／表示装置に表示する工程を行うことを特徴とする請求項１６から１９のいずれか１項に記載の診療支援システムにおける表示方法。
【請求項２１】
前記画面上の任意の位置に表示された画像イメージ上で任意の地点から弧を描くように前記入力操作手段を移動させる第６の操作において、前記制御装置が、前記弧の長さ及び方向に応じて、前記画像イメージを回転させて前記入力／表示装置に表示する工程を行うことを特徴とする請求項１６から２０のいずれか１項に記載の診療支援システムにおける表示方法。
【請求項２２】
前記画面上の任意の位置に表示された複数の入力欄のうち、任意の入力欄を前記入力操作手段によりドラッグし、前記画面内で移動させる第７の操作において、前記制御装置が、前記ドラッグされた任意の入力欄の移動に伴い前記任意の入力欄と重なる直前の他の入力欄を、前記任意の入力欄の移動と共に移動させ、前記他の入力欄を前記画面上の表示枠と重なる直前まで移動させた際に、前記任意の入力欄の移動に伴い、前記任意の入力欄を縮小、拡大させずに、前記他の入力欄を縮小、拡大または押しつぶして前記入力／表示装置に表示する工程、または、前記ドラッグされた任意の入力欄の移動に伴い、前記任意の入力欄を前記画面上の表示枠と重なる直前まで移動させた際に、前記任意の入力欄の移動に伴い、前記任意の入力欄を縮小、拡大または押しつぶして前記入力／表示装置に表示する工程、を行うことを特徴とする請求項１６から２１のいずれか１項に記載の診療支援システムにおける表示方法。
【請求項２３】
前記入力操作手段により、前記記憶装置に記憶された改竄不可能な情報に対する変更操作が行われた際に、前記制御装置が、前記記憶装置に記憶された改竄不可能な情報のコピーを作成し、該作成したコピーに対して、変更元を明示する情報と前記入力操作手段を識別する情報と前記入力操作手段により画面上に入力した際の入力ストローク情報とを付加し、前記記憶装置に記憶された改竄不可能な情報とは別の情報として前記記憶装置に保存する工程を行うことを特徴とする請求項１６から２２のいずれか１項に記載の診療支援システムにおける表示方法。
【請求項２４】
前記制御装置が、
前記画面上に情報を入力した前記入力操作手段を識別する識別工程と、
前記識別した前記入力操作手段により前記画面上に入力された情報を前記入力操作手段毎に識別して管理する工程と、
を行うことを特徴とする請求項１６から２３のいずれか１項に記載の診療支援システムにおける表示方法。
【請求項２５】
前記識別工程は、
前記制御装置が、前記入力操作手段を識別する手段を有するバッチを基に前記入力操作手段を識別することを特徴とする請求項２４記載の診療支援システムにおける表示方法。
【請求項２６】
前記診療支援システムは、
他の入力手段と、他の表示手段と、前記表示手段と前記他の表示手段との少なくとも１つの表示手段に表示する情報を生成する情報生成手段と、を更に有しており、
前記情報生成手段が、前記表示手段に表示する情報と前記他の表示手段に表示する情報とを異ならせるように制御する工程を行うことを特徴とする請求項１６から２５のいずれか１項に記載の診療支援システムにおける表示方法。
【請求項２７】
前記所定の操作は、前記画面上の任意の位置に表示された複数のシートラベルのうち、任意のシートラベル間を前記入力操作手段によりドラッグして上方向に移動させる操作であることを特徴とする請求項１６または２６記載の診療支援システムにおける表示方法。
【請求項２８】
入力操作手段と表示手段とから構成される入力／表示装置と、記憶装置と、制御装置と、を少なくとも有する診療支援システムにおいて実行させる表示プログラムを記録した記録媒体であって、
前記入力／表示装置に表示された画面上から前記入力操作手段により入力された情報を改竄不可能な情報として、シートラベルによって識別されるシートと、該シートに関連付けられるグループと、該グループに関連づけられるセグメントと、該セグメントに関連づけられるデータ識別子によって関連付けて前記記憶装置に記憶する処理と、
前記画面上の任意の位置に表示された複数の各シートラベル上で前記入力操作手段をスライド移動させる第１の操作において、前記入力操作手段が各シートラベル上を移動した際に、前記シートラベルにより識別される前記改竄不可能な情報を前記記憶装置に記憶されている情報から読み出し、該情報を前記シートラベル毎に連続的に切り替えて前記入力／表示装置に表示する処理と、
前記入力／表示装置に、前記複数のシートラベルを表示するとともに、前記表示された全てのシートラベルの各シートラベルに関連付けて前記記憶装置に記憶されている前記グループのグループ識別情報を、前記表示された全てのシートラベルの前記各シートラベルの下側に表示する状態を第一の表示状態とし、
前記入力／表示装置に、前記複数のシートラベルを表示するが、前記情報を前記各シートラベルの下側に表示させない状態を第二の表示状態とし、
前記第二の表示状態において、任意のシートラベル近傍を前記入力操作手段によりドラッグして上方向に移動させる所定の操作を受けて、前記画面上に表示された全てのシートラベルを引き上げ、前記グループのグループ識別情報を読み出して前記画面上の当該シートラベルが占有していた領域に表示し、前記第一の表示状態に移行する処理を前記制御装置に実行させることを特徴とする表示プログラムを記録した記録媒体。
【請求項２９】
前記画面上の任意の位置に表示された複数の入力欄のうち、任意の入力欄を前記入力操作手段によりドラッグし、前記シートラベル上でドロップする第２の操作において、前記ドラッグされた任意の入力欄の情報を、前記ドロップしたシートラベルに関連付け、且つ、該シートラベルに関連付けた前記任意の入力欄の情報を変更不可能な情報として前記入力／表示装置に表示する処理を前記制御装置に実行させることを特徴とする請求項２８記載の表示プログラムを記録した記録媒体。
【請求項３０】
前記画面上の任意の位置に表示された入力欄を横切るように前記入力操作手段を水平方向にスライド移動させる第３の操作において、前記第３の操作の終了後、前記入力欄をセグメント分割し、且つ、前記入力欄毎に予め指定された順番のセグメントラベルを前記分割したセグメント内に付加して前記入力／表示装置に表示する処理を前記制御装置に実行させることを特徴とする請求項２８または２９に記載の表示プログラムを記録した記録媒体。
【請求項３１】
前記セグメント分割された入力欄のうち、任意のセグメントを前記入力操作手段によりドラッグし、前記シートラベル上でドロップする第４の操作において、前記ドラッグされた任意のセグメントの情報を、前記ドロップしたシートラベルに関連付け、且つ、該シートラベルに関連付けた前記任意のセグメントの情報を変更不可能な情報として前記入力／表示装置に表示する処理を前記制御装置に実行させることを特徴とする請求項３０記載の表示プログラムを記録した記録媒体。
【請求項３２】
前記画面上の任意の位置に表示された画像イメージ上で任意の地点から他の任意の地点へ向けて前記入力操作手段を移動させる第５の操作において、前記画像イメージ上で移動した距離を計測し、該計測結果を前記画像イメージ上に重ねて前記入力／表示装置に表示する処理を前記制御装置に実行させることを特徴とする請求項２８から３１のいずれか１項に記載の表示プログラムを記録した記録媒体。
【請求項３３】
前記画面上の任意の位置に表示された画像イメージ上で任意の地点から弧を描くように前記入力操作手段を移動させる第６の操作において、前記弧の長さ及び方向に応じて、前記画像イメージを回転させて前記入力／表示装置に表示する処理を前記制御装置に実行させることを特徴とする請求項２８から３２のいずれか１項に記載の表示プログラムを記録した記録媒体。
【請求項３４】
前記画面上の任意の位置に表示された複数の入力欄のうち、任意の入力欄を前記入力操作手段によりドラッグし、前記画面内で移動させる第７の操作において、前記ドラッグされた任意の入力欄の移動に伴い前記任意の入力欄と重なる直前の他の入力欄を、前記任意の入力欄の移動と共に移動させ、前記他の入力欄を前記画面上の表示枠と重なる直前まで移動させた際に、前記任意の入力欄の移動に伴い、前記任意の入力欄を縮小、拡大させずに、前記他の入力欄を縮小、拡大または押しつぶして前記入力／表示装置に表示する処理、または、前記ドラッグされた任意の入力欄の移動に伴い、前記任意の入力欄を前記画面上の表示枠と重なる直前まで移動させた際に、前記任意の入力欄の移動に伴い、前記任意の入力欄を縮小、拡大または押しつぶして前記入力／表示装置に表示する処理、を前記制御装置に実行させることを特徴とする請求項２８から３３のいずれか１項に記載の表示プログラムを記録した記録媒体。
【請求項３５】
前記入力操作手段により、前記記憶装置に記憶された改竄不可能な情報に対する変更操作が行われた際に、前記記憶装置に記憶された改竄不可能な情報のコピーを作成し、該作成したコピーに対して、変更元を明示する情報と前記入力操作手段を識別する情報と前記入力操作手段により画面上に入力した際の入力ストローク情報とを付加し、前記記憶装置に記憶された改竄不可能な情報とは別の情報として前記記憶装置に保存する処理を前記制御装置に実行させることを特徴とする請求項２８から３４のいずれか１項に記載の表示プログラムを記録した記録媒体。
【請求項３６】
前記画面上に情報を入力した前記入力操作手段を識別する識別処理と、
前記識別した前記入力操作手段により前記画面上に入力された情報を前記入力操作手段毎に識別して管理する処理と、
を前記制御装置に実行させることを特徴とする請求項２8から３５のいずれか１項に記載の表示プログラムを記録した記録媒体。
【請求項３７】
前記識別処理は、
前記制御装置が、前記入力操作手段を識別する手段を有するバッチを基に前記入力操作手段を識別することを特徴とする請求項３６記載の表示プログラムを記録した記録媒体。
【請求項３８】
前記診療支援システムは、
他の入力手段と、他の表示手段と、前記表示手段と前記他の表示手段との少なくとも１つの表示手段に表示する情報を生成する情報生成手段と、を更に有しており、
前記表示手段に表示する情報と前記他の表示手段に表示する情報とを異ならせるように制御する処理を前記情報生成手段に実行させることを特徴とする請求項２８から３７のいずれか１項に記載の表示プログラムを記録した記録媒体。
【発明の詳細な説明】
【０００１】
【発明の属する技術分野】
本発明は、診療支援システム、その表示方法及びそのプログラムを記録した記録媒体に関し、特に診療行為に関連する電子カルテやオーダリングシステム等に用いられる診療支援システム、その表示方法及びそのプログラムを記録した記録媒体に関する。
【０００２】
【従来の技術】
従来、診療における紙記載の優れた特性とは、そのフレキシビリティー（flexibility ）にある。例えば、自由な手書きメモが可能であり、コピーを貼り付けたり、定型の図などを貼り付け、その上から記載することが可能である。また、強調する内容に下線や印も記載できる。さらに、記載された紙にタグをつけたり、色別のファイルに保管したり、視覚性の高い管理が可能であり、大量の情報にざっと目を通すこともできる。
【０００３】
しかし、診療における紙記載においては、破損や保管場所の確保、また、その検索の困難性等が指摘されている。これらを解決するため、現在では、紙によって管理されていた書類（カルテや処方箋など）の電子化が図られている。
【０００４】
診療における書類の電子化の優れた特性とは、破損がなく、保管・管理が一元化、共有化され、大量データのキーワード検索が可能ということである。さらに、診療行為に関する情報（紙カルテなど）の保存は、膨大なコストと場所が必要であるが、これらの問題も改善することができる。
【０００５】
しかし、この電子化においても、便利な機能には複雑な操作が伴うものであり、患者を前にした診療中にキーボードを叩いて入力作業を行うのは、かなりの負担であり、この入力負担は思考の障害となり、慣れるまでに時間を要する。そこで、ペンタブレットによる入力方法は、これまでの診療のための紙記載と同様の感覚で扱えるため、誰もが慣れ親しむペン操作で入力を容易に可能とするものである。
【０００６】
例えば、従来のペンタブレットを利用した診療支援システムの一例が、特開平１０−２１４３０２号公報（1998年に株式会社亀田医療情報研究所から発行された医療計画支援システムの第８頁に掲載された入力ペン、入力タブレットについての記載、第１４頁には入力操作装置及び出力装置の図が掲載）に開示されている。
【０００７】
図１３には、従来の入力ペン、入力タブレットを利用した診療支援システムの概略構成が示されている。図１３において、従来の診療支援システム１３０は、記憶装置１３１と、入力装置１３２と、制御装置１３３と、通信装置１３４と、印刷装置１３５と、表示装置１３６と、から構成されている。このような構成を有する従来のペンタブレットを利用した診療支援システム１３０は、以下のように動作する。
【０００８】
操作者は、表示装置１３６の表示内容を確認して、次の操作を判断する。次の操作が、例えば、マウス操作である場合には、入力装置１３２をマウスに切り替えて操作を行う。次の操作が、テキスト入力などの場合、入力装置１３２をキーボードや入力ペン、入力タブレットなどに切り替えて操作を行う。操作中は、入力装置１３２から入力した内容と表示装置１３６で表示されている内容とが一致しているか否かの確認を行うこととなる。
【０００９】
また、従来の自由ストロークに基づくソフトウェアアーキテクチャの一例が、電子白板システムに関する技術と共に記載されている（五十嵐健夫，W.Keith Edwards, Anthony LaMarca, Elizabeth D. Mynett,「自由ストロークに基づく電子白板システムのためのソフトウェアアーキテクチャ」，情報処理学会シンポジウム「インタラクション  ２０００」，東京工業大学，pp213-220 ，２０００年３月）。
【００１０】
この従来の自由ストロークに基づくソフトウェアアーキテクチャを利用した電子白板システムは、以下のように履歴を管理している。ストロークの履歴を保管するデータベースには、ユーザの操作開始・終了毎に、履歴内にトランザクションの開始及び終了マークを挿入している。ユーザ側からみた場合、履歴には特定のセグメントに注目した場合の局所的なものと、画面全体に注目した場合の２種類がある。履歴は、セグメント毎に管理されており、全体的履歴は、セグメント毎の履歴を自動的につなぎあわせることにより動的に再構成される。さらに、履歴のうちアプリケーション処理モジュール固有のデータ構造の書き換えに関するものは無視して、セグメントのストローク書き換えに関するものだけを扱えればよいので、再生がアプリケーション処理モジュールを経由せずに高速に行うものである。
【００１１】
【発明が解決しようとする課題】
しかし、上述される従来の診療支援システムにおいては、以下に示すような問題点があった。
第１の問題点は、複雑な仕様と操作により診断中に思考が途切れるため、診断の障害になることである。その理由は、メニューやボタン選択を基本としたシステム操作が必要であるため、複雑な仕様を把握して操作しなければならず、操作方法を覚えるための時間が必要であると共に、入力操作を行いながら操作方法を模索するといった状態が発生してしまうためである。
【００１２】
第２の問題点は、表示画面の切り替えにより思考が途切れ、診断の障害になることである。その理由は、表示装置の画面の表示サイズ制限により、大量の情報を表示するためには、画面切り替えて表示しなければならないためである。
【００１３】
第３の問題点は、入力操作により思考が途切れ、診断の障害になることである。その理由は、ブラインドタッチによるキーボード操作が難しい操作者の場合、入力装置であるキーボードや入力ペン、入力タブレットを使用し、入力動作と入力内容の確認作業を交互に行うためである。
【００１４】
第４の問題点は、入力装置と表示装置とに距離があるため、目と手の間に空間的なずれが生じ、入力の負担が増えることにより思考が途切れ、診断の障害になることである。その理由は、入力装置であるキーボード、入力ペン、入力タブレットなどが、表示装置と一体化されていないためである。
【００１５】
第５の問題点は、入力内容によって入力装置の切り替えを行うことである。その理由は、従来の入力装置（キーボード、テンキースイッチ、マウス、トラックボール、入力ペン、入力タブレットなど）では、一種類の入力装置だけで入力操作を行うことが不可能なためである。
【００１６】
第６の問題点は、診療行為に関する情報のデータ管理が、基本的に患者単位であるのに対し、自由ストロークのデータ管理では、操作ユーザ単位で管理が必要であるといったことである。その理由は、ユーザがＵＮＤＯ／ＲＥＤＯを行ったり、時系列をたどるために、ユーザの操作毎にまとめておく必要があるためである。
【００１７】
本発明は、上記問題点に鑑みて成されたものであり、診療行為に関する情報において、標準化及び電子保管、管理により改良された優れた特性、紙記載の優れた特性の両方を持ち合わせた診療支援システム、その表示方法及びそのプログラムを記録した記録媒体を提供することを目的とする。
【００１８】
【課題を解決するための手段】
かかる目的を達成するために、本発明は以下の特徴を有することとする。
本発明にかかる診療支援システムは、入力操作手段と表示手段とから構成される入力／表示装置と、記憶装置と、制御装置と、を少なくとも有する診療支援システムであって、制御装置は、記入力／表示装置に表示された画面上から入力操作手段により入力された情報を改竄不可能な情報として少なくともシートラベル毎に記憶装置に記憶する手段と、画面上の任意の位置に表示された複数の各シートラベル上で入力操作手段をスライド移動させる第１の操作において、入力操作手段が各シートラベル上を移動した際に、該シートラベル毎に関連付けて記憶装置に記憶されている情報を読み出し、該読み出した情報を変更不可能な情報と認識し、該認識した変更不可能な情報をシートラベル毎に連続的に切り替えて入力／表示装置に表示する手段と、を有することを特徴とするものである。
【００１９】
また、本発明にかかる診療支援システムは、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、制御装置は、第二の表示状態において、入力操作手段による所定の操作を受けて、画面上に表示された全てのシートラベルを引き上げ、情報を読み出して画面上に表示し、第一の表示状態に移行する手段を有することを特徴とするものである。
【００２０】
また、本発明にかかる診療支援システムは、制御装置は、画面上の任意の位置に表示された複数の入力欄のうち、任意の入力欄を入力操作手段によりドラッグし、シートラベル上でドロップする第２の操作において、ドラッグされた任意の入力欄の情報を、ドロップしたシートラベルに関連付け、且つ、該シートラベルに関連付けた任意の入力欄の情報を変更不可能な情報として入力／表示装置に表示する手段を有することを特徴とするものである。
【００２１】
また、本発明にかかる診療支援システムは、制御装置は、画面上の任意の位置に表示された入力欄を横切るように入力操作手段を水平方向にスライド移動させる第３の操作において、第３の操作の終了後、入力欄をセグメント分割し、且つ、入力欄毎に予め指定された順番のセグメントラベルを分割したセグメント内に付加して入力／表示装置に表示する手段を有することを特徴とするものである。
【００２２】
また、本発明にかかる診療支援システムは、制御装置は、セグメント分割された入力欄のうち、任意のセグメントを入力操作手段によりドラッグし、シートラベル上でドロップする第４の操作において、ドラッグされた任意のセグメントの情報を、ドロップしたシートラベルに関連付け、且つ、該シートラベルに関連付けた任意のセグメントの情報を変更不可能な情報として入力／表示装置に表示する手段を有することを特徴とするものである。
【００２３】
また、本発明にかかる診療支援システムは、制御装置は、画面上の任意の位置に表示された画像イメージ上で任意の地点から他の任意の地点へ向けて入力操作手段を移動させる第５の操作において、画像イメージ上で移動した距離を計測し、該計測結果を画像イメージ上に重ねて入力／表示装置に表示する手段を有することを特徴とするものである。
【００２４】
また、本発明にかかる診療支援システムは、制御装置は、画面上の任意の位置に表示された画像イメージ上で任意の地点から弧を描くように入力操作手段を移動させる第６の操作において、弧の長さ及び方向に応じて、画像イメージを回転させて入力／表示装置に表示する手段を有することを特徴とするものである。
【００２５】
また、本発明にかかる診療支援システムは、制御装置は、画面上の任意の位置に表示された複数の入力欄のうち、任意の入力欄を入力操作手段によりドラッグし、画面内で移動させる第７の操作において、ドラッグされた任意の入力欄の移動に伴い任意の入力欄と重なる直前の他の入力欄を、任意の入力欄の移動と共に移動させ、他の入力欄を画面上の表示枠と重なる直前まで移動させた際に、任意の入力欄の移動に伴い、任意の入力欄を縮小、拡大させずに、他の入力欄を縮小、拡大または押しつぶして入力／表示装置に表示する、または、ドラッグされた任意の入力欄の移動に伴い、任意の入力欄を画面上の表示枠と重なる直前まで移動させた際に、任意の入力欄の移動に伴い、任意の入力欄を縮小、拡大または押しつぶして入力／表示装置に表示する手段を有することを特徴とするものである。
【００２６】
また、本発明にかかる診療支援システムは、制御装置は、画面上の任意の位置に表示されたセグメント分割された入力欄のうち、分割された任意のセグメントを入力操作手段によりドラッグし、入力欄の枠内で移動させる第８の操作において、ドラッグされた任意のセグメントの移動に伴い、他のセグメントと衝突、または、入力欄の枠と衝突した際に、任意のセグメントを縮小、拡大または押しつぶして入力／表示装置に表示する手段を有することを特徴とするものである。
【００２７】
また、本発明にかかる診療支援システムは、制御装置は、入力操作手段により画面上の任意の位置に入力された手書き入力データの文字認識処理を行い、文字コードの配列であるテキストデータに変換し、各要素毎に識別して管理するデータ識別に属する情報の中から、テキストデータと一致する頭文字の情報名を検索取得し、該取得した情報名を画面上の任意の位置に一覧表示する手段を有することを特徴とするものである。
【００２８】
また、本発明にかかる診療支援システムは、制御装置は、入力操作手段により、記憶装置に記憶された改竄不可能な情報に対する変更操作が行われた際に、記憶装置に記憶された改竄不可能な情報のコピーを作成し、該作成したコピーに対して、変更元を明示する情報と入力操作手段を識別する情報と入力操作手段により画面上に入力した際の入力ストローク情報とを付加し、記憶装置に記憶された改竄不可能な情報とは別の情報として記憶装置に保存する手段を有することを特徴とするものである。
【００２９】
また、本発明にかかる診療支援システムは、入力／表示装置は、ペンタブレットであることを特徴とするものである。
【００３０】
また、本発明にかかる診療支援システムは、ペンタブレットは、コードレス型のペンを備えたペンタブレットであることを特徴とするものである。
【００３１】
また、本発明にかかる診療支援システムは、表示手段は、液晶ディスプレイであることを特徴とするものである。
【００３２】
また、本発明にかかる診療支援システムは、制御装置は、画面上に情報を入力する入力操作手段を識別する識別手段と、識別された入力操作手段により画面上に入力された情報を入力操作手段毎に識別して管理する手段と、を更に有することを特徴とするものである。
【００３３】
また、本発明にかかる診療支援システムは、識別手段は、入力操作手段を識別する手段を有するバッチにより入力操作手段を識別することを特徴とするものである。
【００３４】
また、本発明にかかる診療支援システムは、他の入力手段と、他の表示手段と、表示手段と他の表示手段との少なくとも１つの表示手段に表示する情報を生成する情報生成手段と、を更に有し、情報生成手段は、表示手段に表示する情報と他の表示手段に表示する情報とを異ならせるように制御することを特徴とするものである。
【００３５】
また、本発明にかかる診療支援システムは、入力操作手段と表示手段とから構成される入力／表示装置と、記憶装置と、制御装置と、を少なくとも有する診療支援システムであって、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、制御装置は、第二の表示状態において、入力操作手段による所定の操作を受けて、画面上に表示された全てのシートラベルを引き上げ、情報を読み出して画面上に表示し、第一の表示状態に移行する手段を有することを特徴とするものである。
【００３６】
また、本発明にかかる診療支援システムは、入力操作手段と表示手段とから構成される入力／表示装置と、記憶装置と、制御装置と、を少なくとも有する診療支援システムであって、制御装置は、入力操作手段により入力／表示装置の画面上の入力欄の任意の位置に入力された手書き入力データの文字認識処理を行い、文字コードの配列であるテキストデータに変換し、入力欄の各要素毎に識別して管理するデータ識別に属する情報の中から、テキストデータと一致する頭文字の情報名を検索取得し、該取得した情報名を入力欄の任意の位置に一覧表示する手段を有することを特徴とするものである。
【００３７】
また、本発明にかかる診療支援システムにおける診療支援方法は、所定の操作は、画面上の任意の位置に表示された複数のシートラベルのうち、任意のシートラベル間を入力操作手段によりドラッグして移動させる操作であることを特徴とするものである。
【００３８】
また、本発明にかかる診療支援システムにおける診療支援方法は、入力操作手段と表示手段とから構成される入力／表示装置と、記憶装置と、制御装置と、を少なくとも有する診療支援システムにおける表示方法であって、制御装置が、入力／表示装置に表示された画面上から入力操作手段により入力された情報を改竄不可能な情報として少なくともシートラベル毎に記憶装置に記憶する工程と、画面上の任意の位置に表示された複数の各シートラベル上で入力操作手段をスライド移動させる第１の操作において、入力操作手段が各シートラベル上を移動した際に、制御装置が、シートラベル毎に関連付けて記憶装置に記憶されている情報を読み出し、該読み出した情報を変更不可能な情報と認識し、該認識した変更不可能な情報をシートラベル毎に連続的に切り替えて入力／表示装置に表示する工程と、を行うことを特徴とするものである。
【００３９】
また、本発明にかかる診療支援システムにおける表示方法は、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、制御装置が、第二の表示状態において、入力操作手段による所定の操作を受けて、画面上に表示された全てのシートラベルを引き上げ、情報を読み出して画面上に表示し、第一の表示状態に移行する工程を行うことを特徴とするものである。
【００４０】
また、本発明にかかる診療支援システムにおける表示方法は、画面上の任意の位置に表示された複数の入力欄のうち、任意の入力欄を入力操作手段によりドラッグし、シートラベル上でドロップする第２の操作において、制御装置が、ドラッグされた任意の入力欄の情報を、ドロップしたシートラベルに関連付け、且つ、該シートラベルに関連付けた任意の入力欄の情報を変更不可能な情報として入力／表示装置に表示する工程を行うことを特徴とするものである。
【００４１】
また、本発明にかかる診療支援システムにおける表示方法は、画面上の任意の位置に表示された入力欄を横切るように入力操作手段を水平方向にスライド移動させる第３の操作において、第３の操作の終了後、制御装置が、入力欄をセグメント分割し、且つ、入力欄毎に予め指定された順番のセグメントラベルを分割したセグメント内に付加し入力／表示装置に表示する工程を行うことを特徴とするものである。
【００４２】
また、本発明にかかる診療支援システムにおける表示方法は、セグメント分割された入力欄のうち、任意のセグメントを入力操作手段によりドラッグし、シートラベル上でドロップする第４の操作において、制御装置が、ドラッグされた任意のセグメントの情報を、ドロップしたシートラベルに関連付け、且つ、該シートラベルに関連付けた任意のセグメントの情報を変更不可能な情報として入力／表示装置に表示する工程を行うことを特徴とするものである。
【００４３】
また、本発明にかかる診療支援システムにおける表示方法は、画面上の任意の位置に表示された画像イメージ上で任意の地点から他の任意の地点へ向けて入力操作手段を移動させる第５の操作において、制御装置が、画像イメージ上で移動した距離を計測し、該計測結果を画像イメージ上に重ねて入力／表示装置に表示する工程を行うことを特徴とするものである。
【００４４】
また、本発明にかかる診療支援システムにおける表示方法は、画面上の任意の位置に表示された画像イメージ上で任意の地点から弧を描くように入力操作手段を移動させる第６の操作において、制御装置が、弧の長さ及び方向に応じて、画像イメージを回転させて入力／表示装置に表示する工程を行うことを特徴とするものである。
【００４５】
また、本発明にかかる診療支援システムにおける表示方法は、画面上の任意の位置に表示された複数の入力欄のうち、任意の入力欄を入力操作手段によりドラッグし、画面内で移動させる第７の操作において、制御装置が、ドラッグされた任意の入力欄の移動に伴い任意の入力欄と重なる直前の他の入力欄を、任意の入力欄の移動と共に移動させ、他の入力欄を画面上の表示枠と重なる直前まで移動させた際に、任意の入力欄の移動に伴い、任意の入力欄を縮小、拡大させずに、他の入力欄を縮小、拡大または押しつぶして入力／表示装置に表示する工程、または、ドラッグされた任意の入力欄の移動に伴い、任意の入力欄を画面上の表示枠と重なる直前まで移動させた際に、任意の入力欄の移動に伴い、任意の入力欄を縮小、拡大または押しつぶして入力／表示装置に表示する工程、を行うことを特徴とするものである。
【００４６】
また、本発明にかかる診療支援システムにおける表示方法は、画面上の任意の位置に表示されたセグメント分割された入力欄のうち、分割された任意のセグメントを入力操作手段によりドラッグし、入力欄の枠内で移動させる第８の操作において、制御装置が、ドラッグされた任意のセグメントの移動に伴い、他のセグメントと衝突、または、入力欄の枠と衝突した際に、任意のセグメントを縮小、拡大または押しつぶして入力／表示装置に表示する工程を行うことを特徴とするものである。
【００４７】
また、本発明にかかる診療支援システムにおける表示方法は、制御装置が、入力操作手段により画面上の任意の位置に入力された手書き入力データの文字認識処理を行い、文字コードの配列であるテキストデータに変換し、各要素毎に識別して管理するデータ識別に属する情報の中から、テキストデータと一致する頭文字の情報名を検索取得し、該取得した情報名を画面上の任意の位置に一覧表示する工程を行うことを特徴とするものである。
【００４８】
また、本発明にかかる診療支援システムにおける表示方法は、入力操作手段により、記憶装置に記憶された改竄不可能な情報に対する変更操作が行われた際に、制御装置が、記憶装置に記憶された改竄不可能な情報のコピーを作成し、該作成したコピーに対して、変更元を明示する情報と入力操作手段を識別する情報と入力操作手段により画面上に入力した際の入力ストローク情報とを付加し、記憶装置に記憶された改竄不可能な情報とは別の情報として記憶装置に保存する工程を行うことを特徴とするものである。
【００４９】
また、本発明にかかる診療支援システムにおける表示方法は、制御装置が、画面上に情報を入力した入力操作手段を識別する識別工程と、識別した入力操作手段により画面上に入力された情報を入力操作手段毎に識別して管理する工程と、を行うことを特徴とするものである。
【００５０】
また、本発明にかかる診療支援システムにおける表示方法は、識別工程は、制御装置が、入力操作手段を識別する手段を有するバッチを基に入力操作手段を識別することを特徴とするものである。
【００５１】
また、本発明にかかる診療支援システムにおける表示方法は、診療支援システムは、他の入力手段と、他の表示手段と、表示手段と他の表示手段との少なくとも１つの表示手段に表示する情報を生成する情報生成手段と、を更に有しており、情報生成手段が、表示手段に表示する情報と他の表示手段に表示する情報とを異ならせるように制御する工程を行うことを特徴とするものである。
【００５２】
また、本発明にかかる診療支援システムにおける表示方法は、入力操作手段と表示手段とから構成される入力／表示装置と、記憶装置と、制御装置と、を少なくとも有する診療支援システムにおける表示方法であって、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、制御装置が、第二の表示状態において、入力操作手段による所定の操作を受けて、画面上に表示された全てのシートラベルを引き上げ、情報を読み出して画面上に表示し、第一の表示状態に移行する工程を行うことを特徴とするものである。
【００５３】
また、本発明にかかる診療支援システムにおける表示方法は、入力操作手段と表示手段とから構成される入力／表示装置と、記憶装置と、制御装置と、を少なくとも有する診療支援システムにおける表示方法であって、制御装置が、入力操作手段により入力／表示装置の画面上の入力欄の任意の位置に入力された手書き入力データの文字認識処理を行い、文字コードの配列であるテキストデータに変換し、入力欄の各要素毎に識別して管理するデータ識別に属する情報の中から、テキストデータと一致する頭文字の情報名を検索取得し、該取得した情報名を入力欄の任意の位置に一覧表示する工程を行うことを特徴とするものである。
【００５４】
また、本発明にかかる診療支援システムにおける表示方法は、所定の操作は、画面上の任意の位置に表示された複数のシートラベルのうち、任意のシートラベル間を入力操作手段によりドラッグして移動させる操作であることを特徴とする請求項２２または３６記載の診療支援システムにおける表示方法。
【００５５】
また、表示プログラムを記録した記録媒体は、入力操作手段と表示手段とから構成される入力／表示装置と、記憶装置と、制御装置と、を少なくとも有する診療支援システムにおいて実行させる表示プログラムを記録した記録媒体であって、入力／表示装置に表示された画面上から入力操作手段により入力された情報を改竄不可能な情報として少なくともシートラベル毎に記憶装置に記憶する処理と、画面上の任意の位置に表示された複数の各シートラベル上で入力操作手段をスライド移動させる第１の操作において、入力操作手段が各シートラベル上を移動した際に、シートラベル毎に関連付けて記憶装置に記憶されている情報を読み出し、該読み出した情報を変更不可能な情報と認識し、該認識した変更不可能な情報をシートラベル毎に連続的に切り替えて入力／表示装置に表示する処理と、を制御装置に実行させることを特徴とするものである。
【００５６】
また、表示プログラムを記録した記録媒体は、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、第二の表示状態において、入力操作手段による所定の操作を受けて、画面上に表示された全てのシートラベルを引き上げ、情報を読み出して画面上に表示し、第一の表示状態に移行する処理を制御装置に実行させることを特徴とするものである。
【００５７】
また、表示プログラムを記録した記録媒体は、画面上の任意の位置に表示された複数の入力欄のうち、任意の入力欄を入力操作手段によりドラッグし、シートラベル上でドロップする第２の操作において、ドラッグされた任意の入力欄の情報を、ドロップしたシートラベルに関連付け、且つ、該シートラベルに関連付けた任意の入力欄の情報を変更不可能な情報として入力／表示装置に表示する処理を制御装置に実行させることを特徴とするものである。
【００５８】
また、表示プログラムを記録した記録媒体は、画面上の任意の位置に表示された入力欄を横切るように入力操作手段を水平方向にスライド移動させる第３の操作において、第３の操作の終了後、入力欄をセグメント分割し、且つ、入力欄毎に予め指定された順番のセグメントラベルを分割したセグメント内に付加して入力／表示装置に表示する処理を制御装置に実行させることを特徴とするものである。
【００５９】
また、表示プログラムを記録した記録媒体は、セグメント分割された入力欄のうち、任意のセグメントを入力操作手段によりドラッグし、シートラベル上でドロップする第４の操作において、ドラッグされた任意のセグメントの情報を、ドロップしたシートラベルに関連付け、且つ、該シートラベルに関連付けた任意のセグメントの情報を変更不可能な情報として入力／表示装置に表示する処理を制御装置に実行させることを特徴とするものである。
【００６０】
また、表示プログラムを記録した記録媒体は、画面上の任意の位置に表示された画像イメージ上で任意の地点から他の任意の地点へ向けて入力操作手段を移動させる第５の操作において、画像イメージ上で移動した距離を計測し、該計測結果を画像イメージ上に重ねて入力／表示装置に表示する処理を制御装置に実行させることを特徴とするものである。
【００６１】
また、表示プログラムを記録した記録媒体は、画面上の任意の位置に表示された画像イメージ上で任意の地点から弧を描くように入力操作手段を移動させる第６の操作において、弧の長さ及び方向に応じて、画像イメージを回転させて入力／表示装置に表示する処理を制御装置に実行させることを特徴とするものである。
【００６２】
また、表示プログラムを記録した記録媒体は、画面上の任意の位置に表示された複数の入力欄のうち、任意の入力欄を入力操作手段によりドラッグし、画面内で移動させる第７の操作において、ドラッグされた任意の入力欄の移動に伴い任意の入力欄と重なる直前の他の入力欄を、任意の入力欄の移動と共に移動させ、他の入力欄を画面上の表示枠と重なる直前まで移動させた際に、任意の入力欄の移動に伴い、任意の入力欄を縮小、拡大させずに、他の入力欄を縮小、拡大または押しつぶして入力／表示装置に表示する処理、または、ドラッグされた任意の入力欄の移動に伴い、任意の入力欄を画面上の表示枠と重なる直前まで移動させた際に、任意の入力欄の移動に伴い、任意の入力欄を縮小、拡大または押しつぶして入力／表示装置に表示する処理、を制御装置に実行させることを特徴とするものである。
【００６３】
また、表示プログラムを記録した記録媒体は、画面上の任意の位置に表示されたセグメント分割された入力欄のうち、分割された任意のセグメントを入力操作手段によりドラッグし、入力欄の枠内で移動させる第８の操作において、ドラッグされた任意のセグメントの移動に伴い、他のセグメントと衝突、または、入力欄の枠と衝突した際に、任意のセグメントを縮小、拡大または押しつぶして入力／表示装置に表示する処理を制御装置に実行させることを特徴とするものである。
【００６４】
また、表示プログラムを記録した記録媒体は、入力操作手段により画面上の任意の位置に入力された手書き入力データの文字認識処理を行い、文字コードの配列であるテキストデータに変換し、各要素毎に識別して管理するデータ識別に属する情報の中から、テキストデータと一致する頭文字の情報名を検索取得し、該取得した情報名を画面上の任意の位置に一覧表示する処理を制御装置に実行させることを特徴とするものである。
【００６５】
また、表示プログラムを記録した記録媒体は、入力操作手段により、記憶装置に記憶された改竄不可能な情報に対する変更操作が行われた際に、記憶装置に記憶された改竄不可能な情報のコピーを作成し、該作成したコピーに対して、変更元を明示する情報と入力操作手段を識別する情報と入力操作手段により画面上に入力した際の入力ストローク情報とを付加し、記憶装置に記憶された改竄不可能な情報とは別の情報として記憶装置に保存する処理を制御装置に実行させることを特徴とするものである。
【００６６】
また、表示プログラムを記録した記録媒体は、画面上に情報を入力した入力操作手段を識別する識別処理と、識別した入力操作手段により画面上に入力された情報を入力操作手段毎に識別して管理する処理と、を制御装置に実行させることを特徴とするものである。
【００６７】
また、表示プログラムを記録した記録媒体は、識別処理は、制御装置が、入力操作手段を識別する手段を有するバッチを基に入力操作手段を識別することを特徴とするものである。
【００６８】
また、表示プログラムを記録した記録媒体は、診療支援システムは、他の入力手段と、他の表示手段と、表示手段と他の表示手段との少なくとも１つの表示手段に表示する情報を生成する情報生成手段と、を更に有しており、表示手段に表示する情報と他の表示手段に表示する情報とを異ならせるように制御する処理を情報生成手段に実行させることを特徴とするものである。
【００６９】
また、表示プログラムを記録した記録媒体は、入力操作手段と表示手段とから構成される入力／表示装置と、記憶装置と、制御装置と、を少なくとも有する診療支援システムにおいて実行させる表示プログラムを記録した記録媒体であって、入力／表示装置に、複数のシートラベルを表示するとともに、表示された全てのシートラベルの各シートラベルに関連付けて記憶装置に記憶されている情報を、表示された全てのシートラベルの各シートラベルの下側に表示する状態を第一の表示状態とし、入力／表示装置に、複数のシートラベルを表示するが、情報を各シートラベルの下側に表示させない状態を第二の表示状態とし、第二の表示状態において、入力操作手段による所定の操作を受けて、画面上に表示された全てのシートラベルを引き上げ、情報を読み出して画面上に表示し、第一の表示状態に移行する処理を制御装置に実行させることを特徴とするものである。
【００７０】
また、表示プログラムを記録した記録媒体は、入力操作手段と表示手段とから構成される入力／表示装置と、記憶装置と、制御装置と、を少なくとも有する診療支援システムにおいて実行させる表示プログラムを記録した記録媒体であって、入力操作手段により入力／表示装置の画面上の入力欄の任意の位置に入力された手書き入力データの文字認識処理を行い、文字コードの配列であるテキストデータに変換し、入力欄の各要素毎に識別して管理するデータ識別に属する情報の中から、テキストデータと一致する頭文字の情報名を検索取得し、該取得した情報名を入力欄の任意の位置に一覧表示する処理を制御装置に実行させることを特徴とするものである。
【００７１】
【発明の実施の形態】
次に、添付図面を参照しながら本発明の実施形態である診療支援システム、その表示方法及びそのプログラムを記録した記録媒体を詳細に説明する。図１から図１２を参照すると、本発明に係る診療支援システム、その表示方法及びそのプログラムを記録した記録媒体の実施の形態が示されている。
【００７２】
〈第１の実施形態〉
図１は、本発明の第１の実施形態である診療支援システムの概略構成を示すブロック図である。図１において、本発明の第１の実施形態である診療支援システム１００は、記憶装置１と、入力／表示装置２と、制御装置３と、通信装置４と、印刷装置５と、を有して構成される。
【００７３】
従来の診療支援システムと比較すると、本発明の第１の実施形態である診療支援システムは、従来の入力装置、表示装置の代わりに、一体型の入力／表示装置２が設けられている。これは、紙記載時の物理的操作に応じる巧みなユーザインタフェースを提供するものである。
【００７４】
記憶装置１は、制御装置３の記憶データ更新制御部３ｂにより更新される記憶データを記憶する。
【００７５】
入力／表示装置２は、図２に示されるように、入力操作装置２ａと表示装置２ｂとが一体化形成された液晶ペンタブレット等である。入力操作装置２ａは、ペン形状をしたペンタブレットポインタであり、表示装置２ｂの液晶ディスプレイ画面に直接触れることにより、文字や動作指示を入力することができる。
【００７６】
制御装置３は、表示データ生成制御部３ａと、記憶データ更新制御部３ｂと、印刷データ生成制御部３ｃと、を有して構成される。
【００７７】
通信装置４は、他のシステムとのデータ送受信を司る通信インタフェースである。
【００７８】
印刷装置５は、制御装置３の印刷データ生成制御部３ｃにより生成された印刷データの印刷処理を行う。
【００７９】
図３は、本発明の第１の実施形態における記憶装置のデータ管理状況を説明するための図である。図３において、本発明の第１の実施形態における記憶装置は、最上層から順に、記憶手段１１、記憶手段１２、記憶手段１３、記憶手段１４、により構成されている。
【００８０】
記憶手段１１に管理されるシート１１、記憶手段１２に管理されるグループ１２、記憶手段１３に管理されるセグメント１３は、構造的に管理・記憶され、コピーや移動を可能とする。
【００８１】
記憶手段１３に対応するセグメント１３は、記憶手段１４に対応するセグメント内の各要素１４を管理している。各要素１４は、表示情報（入力内容）とデータ識別により、データ識別内コードを検索する。
【００８２】
図４は、本発明の第１の実施形態である診療支援システムの動作例を示すフローチャートである。まず、操作者は、入力／表示装置２を利用してペン入力を開始する（ステップＡ１）。次に、表示データ生成制御部３ａは、入力ストロークをベクトル表現で記憶し（ステップＡ２）、ストロークを表示する（ステップＡ３）。さらに、記憶データ更新制御部３ｂは、入力ストローク情報にデータ識別の指定があったか否かの判断を行う（ステップＡ４）。
【００８３】
ステップＡ４において、データ識別の指定がある場合（ステップＡ４／Ｙｅｓ）、データ識別とフリー入力を元に識別内コードを検索し（ステップＡ５）、識別内コードを記録する（ステップＡ６）。
【００８４】
ステップＡ４において、データ識別の指定がない場合（ステップＡ４／Ｎｏ）またはステップＡ６において、識別内コードを記録した後、フリー入力を記録する（ステップＡ７）。
【００８５】
最後に、記憶データ更新制御部３ｂは、操作ミスを元に戻す機能を制御するため、記載した内容をデータベース（記憶装置）に保存したか否かの判断を行う（ステップＡ８）。
【００８６】
本発明の第１の実施形態である診療支援システムにおけるデータベースは、目的別に２種類存在する。第１に、手書きストロークの履歴管理を目的としたデータベースであり、明示的な保存操作をすることなく、あらゆる時点における全ての画面上のストロークが時間や色といった付加情報と共に自動的に記録される。第２に、診療行為に関する情報として、整合性のとれたデータ保存を目的としたデータベースであり、明示的な保存操作により記録される。
【００８７】
ステップＡ８におけるデータベースの保存とは、診療行為に関する情報として、整合性のとれたデータ保存を目的とするものである。明示的な保存操作とは、ロックボタンを押下する操作や患者の診察が終了し、明示的にカルテ（当該患者に対する診療行為の情報）を閉じる操作などである。これにより、当該グループの入力データが保存されたり、当該患者の診察中に入力したデータが保存される。データベースに保存されたデータから表示したグループは、変更不可能状態を明示する。変更不可能状態の明示は、押下状態のロックボタンが小さな箱としてグループの右下や右上、タグなどにより表示されたり、網掛けや色などにより表示する。
【００８８】
ステップＡ８において、データベースに保存していない場合は、元に戻す操作が可能である（ステップＡ９）。さらに、変更有無を判断し（ステップＡ１０）、変更する場合は、再びステップＡ１に処理を戻してペン入力を行う。
【００８９】
一方、ステップＡ８において、記載内容がデータベースに保存された場合は、改竄不可能となる（ステップＡ１１）。さらに、改竄不可能な記載内容に対して変更操作を行う場合、変更有無を判断し（ステップＡ１２）、変更元を記憶したコピーを作成し（ステップＡ１３）、変更したデータを記録する（ステップＡ１４）。
【００９０】
ここでは、変更元を直接変更するのではなく、作成したコピーに次の情報を付加し、コピー元とは、別のデータとして保存する。付加する情報とは、変更操作者を識別する情報と、変更元を明示する情報、変更操作の入力ストローク情報である。これにより、診療行為に関する情報の改竄を防止し、データベース保存有無に関わらず、変更や元に戻す機能を有する。
【００９１】
図５は、本発明の第１の実施形態における入力／表示装置の第１の表示例を示す平面図である。図５において、シート１１、グループ１２、セグメント１３は、ペン入力を開始すると自動作成され、ラベル５１、５２、５３のタグが自動付加し、コピーや移動の機能を有する。
【００９２】
シート１１、グループ１２、セグメント１３、要素１４は、図３の記憶手段１１、１２、１３、１４にそれぞれ対応し、ベクトル表現の入力ストロークと識別情報を記憶し、自由な手書き入力を可能とする。
【００９３】
図５において、操作Ａ、操作Ｂ、操作Ｃ、操作Ｄ、操作Ｅ、操作Ｆ、操作Ｇは、シート１１上の各データを容易に操作する機能である。操作Ａは、大量データの閲覧を容易にする機能である。操作Ｂ及び操作Ｃは、コピーや移動を容易にする機能である。操作Ｄは、計測が容易となる定規機能である。操作Ｅは、水平な横線を記載するだけで容易にセグメント分割する機能である。操作Ｆは、表示された画像イメージを回転表示させる機能である。操作Ｇは、画面下部に表示されるシートラベルに関連付けられて記憶されている各データを閲覧するための機能である。
【００９４】
ペン入力を開始すると、記憶手段１１に対応するシート１１が自動的に作成され、シートラベル５１が自動的に付加される。シートラベル５１は、少なくとも日付などから構成されている。外来の場合、来院した回数分シートが作成され、各シートにはラベルが自動付加される。入院の場合、入院期間中、必要分シートが作成され、各シートにはラベルが自動付加される。このように、診療毎に作成される各シートは、診療行為内容が記載され、一枚の紙のように扱う機能を有する。シートを切り替る場合は、固定位置のメニューから日付などを選ぶのではなく、操作Ａで過去の情報を連続的に参照する。操作Ａの具体的操作は、シートラベルの上にペンを押し付けながらスライドさせることにより、連続的に過去のカルテを、ページをめくる感覚で表示するものである。
【００９５】
さらに、各シート上でペン入力を行うと、記憶手段１２に対応するグループ１２が自動的に作成され、グループラベル５２が自動的に付加される。グループラベル５２は、少なくとも操作時刻などから構成されている。各グループ上の情報は、いくつかのセグメントで分割され、記憶手段１３に対応したセグメント１３で管理されている。セグメント分割を行う操作Ｅは、水平に横線を引くことによって自動的にセグメント内の分割を行い、セグメントラベル５３が自動的に付加される。セグメントラベル５３の内容は、予め指定したグループのグループ識別により決定される。
【００９６】
例えば、操作Ｅにより自動付加されるセグメントラベル５３は、”Ｐ”である。ペン入力を開始し、記憶手段１２に対応するグループ１２が自動的に作成されるとき、”Ｓ，Ｏ，Ａ，Ｐ入力”を行うグループ識別であると自動的に判断されている。”Ｓ，Ｏ，Ａ，Ｐ入力”と識別するグループ内では、自動的に上から順に”Ｓ”，”Ｏ”，”Ａ”，”Ｐ”のラベルが付加され、４つめのセグメントには、自動的に”Ｐ”が表示される。
【００９７】
ここでの”Ｓ，Ｏ，Ａ，Ｐ入力”とは、一般的なカルテ記載事項であり、Ｓ：Subjective（主訴、問診内容）、Ｏ：Objective （所見）、Ａ：Accessment（評価）、Ｐ： Plan(治療方針）のことである。
【００９８】
図５の右側にあるグループ１２の場合、グループ識別は、”薬剤指示入力”であるため、自動的に作成されるセグメントラベルは、”Ｒｐ”となる。グループ識別の指定は、ポップアップメニューより選択する。
【００９９】
操作Ｂは、あるセグメントをドラッグして、日付などが表示されているシートラベルでドロップすることによって、当該セグメントのコピーを、その日付のカルテ内へ追加することができる。
【０１００】
操作Ｃは、あるグループをコピーする場合の操作となる。例えば、外来で来院した患者の処方箋の内容が前回来院時と同一の場合、前回ＤＯ（前回と同じ指示票を作成すること）機能として、シートやセグメント、グループのコピー機能を利用することができる。参照目的のためにコピーや移動した情報には、色などで変更不可能状態を明示する機能を有する。
【０１０１】
図５に示すように、セグメント１３内の要素１４は、キーワード検索を高速で有益なものにするために、ペン入力内容をコード化して保持する機能を有する。過去のデータ分析を生かした診療支援を行う場合など、入力内容がコード化されて保存されているのが望ましい。
【０１０２】
ペン入力内容は、座標値の配列として図形的に記録されている。これを文字認識処理によって文字コードの配列であるテキスト情報に変換する処理をコード化と称する。
【０１０３】
図５に示すように、セグメント１３内には、複数の要素１４が含まれ、例えば、グループ識別が”薬剤指示入力”の場合、各要素１４には、薬剤というデータ識別、用法というデータ識別、コメントというデータ識別などが存在する。
【０１０４】
具体的な操作で説明すると、薬剤”あいう”を検索する場合、”あ”とペン入力を行い、文字認識を行う。次に、薬剤というデータ識別に属し、先頭一文字が”あ”の薬剤を一覧表示し、選択することにより、コード化を行う。これは、従来のソフトウェアキーボードなどによる入力と共存する機能である。
【０１０５】
操作Ｄは、画面上での長さを測る定規機能の操作である。具体的な操作は、ドラッグ操作で画面上に線を引くと、その長さが表示されるというものである。例えば、画像レポート（Ｘ線写真、スキャンニングされたＸ線写真等）がシート上に表示されているとき、定規機能をポップアップメニューなどから選択し、画面上で計測する。
【０１０６】
操作Ｄの場合、計測値１００と１９５をピクセルで認識することにより、比率表示を可能とする。また、縮尺値を内部に所有する場合は、実測値の自動算出を可能とする。さらに、画像情報を回転させる操作Ｆにより、様々な角度から、容易に測定する機能を有する。
【０１０７】
操作Ｇは、画面上に表示されるタグ（シートラベル）全体を引き上げることにより、各シートラベルに関連付けられているデータを閲覧するための操作である。図６には、操作Ｇにより表示される入力／表示装置の第２の表示例が示されている。
【０１０８】
操作Ｇは、シートラベルとシートラベルとの間（どのシートラベル間でも可）の一つを矢印方向へドラッグすると、その他のシートラベルも一緒に引き上げられ、各シートラベルの下段には、各シートラベル毎に関連付けられているグループ識別情報６１が表示される。グループ識別情報６１は、同じ種類のグループ識別を同じ列に表示し、視覚的に同じ種類の情報を把握するための機能を有する。例えば、ここで表示されるグループ識別情報６１内の任意のデータを参照しようとする場合には、当該任意のデータが表示されているラベルをペンにより軽く押下または表示されている画面上までドラッグしてくると、そのデータを参照することができる。なお、この時点では、参照するためのデータとして立ち上げられているので、変更不可であることを示すマークあるいは色などにより、他のグループとは異なる状態で表示されるものである。
【０１０９】
図７は、本発明の第１の実施形態における入力／表示装置の第３の表示例を示す平面図である。図７において、操作Ｈは、視覚性の高い表示を可能とする機能である。このように、電子化と紙記載、両方の優れた特性を兼ね備えた構成を可能とする。
【０１１０】
操作Ｈは、移動による拡大・縮小表示及び押しつぶし表示を行う。具体的な操作を説明すると、左側のグループ１２ａをドラッグして、グループ１２ｂの方向に移動する。グループ１２ａが、グループ１２ｂの表示と重なる直前に、グループ１２ｂは、操作Ｈの操作方向に押されて移動する。グループ１２ｂが、シート１１の枠の表示と重なる直前まで移動すると、グループ１２ｂのみ縮小表示を開始する。このとき、グループ１２ａは、縮小しない。さらに、グループ１２ａを操作Ｈの方向に移動させると、グループ１２ａは、押しつぶし表示となる。
【０１１１】
逆に、操作Ｈの逆方向に移動すると、押しつぶされたグループ１２ｂは、拡大表示を開始し、元の表示サイズに戻る。また、グループ１２ａのみをドラッグしてシート１１の端まで単独移動する場合、シート１１の枠と重なる直前に、縮小表示を開始する。このように、シート１１上のグループ１２やセグメント１３は、常に視覚的に認識するための機能、拡大・縮小表示及び押しつぶし表示機能を備える。
【０１１２】
また、操作Ｉは、セグメント分割された個々のセグメントの幅を調節するための操作であり、上述される操作Ｈの場合と同様に、任意のセグメントを移動させた場合に、他のセグメントと衝突あるいは画面上の表示枠と衝突する場合に、拡大・縮小表示及び押しつぶし表示といった表示機能を備える。
【０１１３】
図８は、本発明の第１の実施形態における入力／表示装置の処理をまとめて示す模式図である。入力／表示装置２においては、ペンタブレット操作Ｂ１と表示Ｂ２の２つの主な動作に大別される。
【０１１４】
ペンタブレット操作Ｂ１により、図示されるように、「手書き文字入力Ｂ１ａ」、「手書き描画入力Ｂ１ｂ」、「シート自動作成、ラベル自動付加Ｂ１ｃ」、「グループ自動作成、ラベル自動付加Ｂ１ｄ」、「セグメント自動作成、ラベル自動付加Ｂ１ｅ」、「改竄防止Ｂ１ｆ」、「定規機能Ｂ１ｇ」、「シートのコピー、移動Ｂ１ｈ」、「グループのコピーＢ１ｉ］、「セグメントのコピーＢ１ｊ」等の処理が行われる。
【０１１５】
表示Ｂ２により、「変更不可能状態の表示Ｂ２ａ」、「ストロークの表示、保存Ｂ２ｂ」、「拡大・縮小、押しつぶし表示Ｂ２ｃ」、「シート内グループ識別表示Ｂ２ｄ」等の処理が行われる。なお、この表示Ｂ２の処理は、各グループ毎や各セグメント毎に可能である。
【０１１６】
〈第２の実施形態〉
次に、本発明の第２の実施形態として、複数操作者による複数ペン入力を可能とした機能の実施例を以下に示す。
【０１１７】
図９は、本発明の第２の実施形態である診療支援システムの概略構成を示すブロック図である。本発明の第２の実施形態では、一体型の入力／表示装置２に対して、複数の操作者（ユーザ１〜ユーザｎ）が存在する点において異なる。
【０１１８】
図１０は、本発明の第２の実施形態である診療支援システムの動作例を示すフローチャートであり、図４のステップＡ１〜Ａ３までを置き換えたものである。まず、操作者は、一体型の入力／表示装置２を利用して、ペン入力を開始する（ステップＢ１）。次に、表示データ制御部３ａは、複数の操作者を識別するためのペンの識別を行う（ステップＢ２）。また、入力ストロークをペンの識別とベクトル表現で記録し（ステップＢ３）、ストロークの表示を行う（ステップＢ４）。以降は、図６のステップＡ４以降と同様であるが、入力ストロークの保存には、操作者を識別するためのペン識別情報が付加される点が異なる。
【０１１９】
次に、本発明の第２の実施形態である診療支援システムの具体例を以下に説明する。図１０に示すように、複数のユーザ（操作者）は、それぞれ独自にペンを所持、あるいは、独自のバッチをつけて、一つの入力／表示装置２上の同一シートに対してペン操作することが可能である。独自のバッチとは、自動ペン識別機能を有した入力装置の一部である。入力ストロークの記録は、操作者を識別するペン識別が付加されるため、操作者毎に入力ストロークの管理を行うことができる。これにより、各職種で構成された医療チームにおいて、治療方針の検討を行うディスカッションなどで複数の操作者による利用が可能となる。
【０１２０】
〈第３の実施形態〉
図１１は、本発明の第３の実施形態である診療システムの概略構成を示すブロック図である。図１１において、本発明の第３の実施形態である診療システム１００は、記憶装置１と、入力／表示装置２と、制御装置３と、通信装置４と、印刷装置５と、表示装置６と、入力装置７と、を有して構成される。
【０１２１】
表示装置６は、従来用いられていたディスプレイ装置でもよいし、本発明による液晶ディスプレイ装置などでも構わない。また、この表示装置６は、必ずしも１台に限定されるものでなく、複数のディスプレイ装置を同時に接続して用いることも可能である。入力装置７は、従来から用いられているキーボードやテンキーなどである。これらの表示装置６及び入力装置７は、同システム上で共存することができる。
【０１２２】
本発明の第３の実施形態では、入力／表示装置２で操作した内容を自動的に必要分、表示装置６に反映する機能を有する。逆に、従来の入力装置７で入力し、表示装置６で確認した内容を入力／表示装置２に反映したり、複数の入力／表示装置２が存在し、互いに反映するという点が異なる。
【０１２３】
以上のような入力／表示装置２や表示装置６に表示させるデータは、表示データ生成制御部３ａにて制御されるが、複数のディスプレイにデータを表示させるためのマルチディスプレイ表示制御プログラムによる各処理と、ユーザからの所望の表示形態情報の入力とに基づいて、例えば、表示／入力装置２には、画像データを表示しておき、コードレス型のペンで様々な書き込みを行ない、表示装置６には、電子カルテ情報を表示しておき、さらに書きこ込みを行なうといった操作も可能である。
【０１２４】
次に、本発明の第３の実施形態である診療支援システムの具体例を以下に示す。まず、患者へのインフォームドコンセントに利用する場合を例に説明する。診療行為などを記載しているカルテ画面から、説明に必要な情報を指定して、説明用画面に表示を行う。説明用画面が一体型入出力装置の場合、表示する画面に直接記入しながら説明を行う。資料の上から手書き入力を行ったり、資料の横に手書きの絵を記入し、より詳しく説明することを可能とする。これらの説明で利用した画面を、再び診療行為などを記載しているカルテ画面に表示させ、一緒に保存することを可能とする。保存した情報は、次回の説明で利用できる。
【０１２５】
次に、従来の表示装置６や入力装置７で操作することを前提としたアプリケーションを利用する場合を例に説明する。入力／表示装置２に表示しているカルテ情報は、そのままの状態で表示しておき、従来の表示装置６や入力装置７を利用して操作を行う。操作を完了すると、入力内容がカルテ情報を表示する入力／表示装置２に自動的に必要分、反映するという機能を有する。
【０１２６】
図１２は、本発明の第３の実施形態である診療支援システムの動作例を示すフローチャートであり、図４のＡ１からＡ３までを置き換えたものである。まず、操作者は、一体型の入出力装置を利用して、ペン入力を開始する（ステップＣ１）。次に、表示データ制御部３ａは、複数画面の識別を行う（ステップＣ２）。また、入力ストロークを画面の識別情報とベクトル表現で記録し（ステップＣ３）、ストロークの表示を行う（ステップＣ４）。以降は、図６のステップＡ４以降と同様であるが、入力ストロークの保存には、画面を識別するための識別情報が付加される点が異なる。
【０１２７】
なお、上述される実施形態は、本発明の好適な実施形態であり、本発明の要旨を逸脱しない範囲内において種々変形して実施することが可能である。例えば、本発明の実施形態において、記憶装置と制御装置とからなるサーバを実現し、該サーバに対してアクセス可能な通信機能を備える入力／表示装置を複数設けることにより、クライアント／サーバシステムとしての利用も可能である。
【０１２８】
また、本発明の実施形態における処理プログラムは、制御装置内に設けられる記録媒体に記憶されるものとし、例えば、この記録媒体としては、磁気ディスク、ＣＤ−ＲＯＭ、半導体メモリ、等により構成することも可能である。制御装置は、これらの記録媒体に記録された処理プログラムに基づいて各装置に処理を実行させる。
【０１２９】
【発明の効果】
以上の説明より明らかなように、本発明の診療支援システム、その表示方法及びそのプログラムを記録した記録媒体によれば、入出力一体型のペンタブレットに新しく追加された機能が、ほとんどトレーニングを受けていない操作者でも直感的に操作することを可能としているため、診療行為において、思考が途切れたり、診断の障害になるような複雑な入力の負担を軽減することができる。
【０１３０】
また、本発明の診療支援システム、その表示方法及びそのプログラムを記録した記録媒体によれば、シートやグループ、セグメントの単位で自由にコピーや移動が可能なため、診療行為において、過去情報の参照及び流用を容易に行うことができる。
【０１３１】
また、本発明の診療支援システム、その表示方法及びそのプログラムを記録した記録媒体によれば、大量の過去情報に、瞬時に目を通すための操作が可能なため、診療行為において、大量のカルテを次々と表示させて、目的の情報を容易に発見することができる。
【０１３２】
また、本発明の診療支援システム、その表示方法及びそのプログラムを記録した記録媒体によれば、入力ストロークをビットマップ表現ではなく、ベクトル表現で記憶することによりメモリ使用量を低減し、最適化された情報を元に表示しているため、診療行為において、高速な画面表示を実現できる。
【０１３３】
また、本発明の診療支援システム、その表示方法及びそのプログラムを記録した記録媒体によれば、手書き入力した文字の必要な部分をコードに変換する機能を備え、コードによるデータ保存が可能となり、キーワード検索が高速となり、過去のデータ検索も容易になるため、診療行為において、過去の情報を生かした診療支援に利用することができる。
【０１３４】
また、本発明の診療支援システム、その表示方法及びそのプログラムを記録した記録媒体によれば、画面上に線を引くという簡単な操作で距離計測が可能なため、診療行為において、画像レポートの診断支援に利用することができる。
【０１３５】
また、本発明の診療支援システム、その表示方法及びそのプログラムを記録した記録媒体によれば、画面表示サイズの制限により、一部非表示や画面切替えなどして表示していたものが、常に視覚として残るように縮小して配置しておくことにより、常に視覚的にとらえながら操作を行うため、思考が途切れず、診察や診断に集中することができる。
【０１３６】
さらに、本発明の診療支援システム、その表示方法及びそのプログラムを記録した記録媒体によれば、入力ストロークを記憶するため、操作ミスがあった場合に、取り消したり、元に戻した記録を保存できる。また、データベースに登録した情報を変更する場合は、修正元を直接変更せずに、修正元を明示した上で、修正履歴として、入力ストロークを保存するため、改竄を防止することができる。
【図面の簡単な説明】
【図１】  本発明の第１の実施形態である診療支援システムの概略構成を示すブロック図である。
【図２】  本発明の実施形態における入力／表示装置の構成を示すブロック図である。
【図３】  本発明の実施形態における記憶装置のデータ管理状況を示す図である。
【図４】  本発明の第１の実施形態である診療支援システムの動作例を示すフローチャートである。
【図５】  本発明の実施形態における入力／表示装置の第１の表示例である。
【図６】  本発明の実施形態における入力／表示装置の第２の表示例である。
【図７】  本発明の実施形態における入力／表示装置の第３の表示例である。
【図８】  本発明の実施形態における入力／表示装置の処理動作を示す図である。
【図９】  本発明の第２の実施形態である診療支援システムの概略構成を示すブロック図である。
【図１０】  本発明の第２の実施形態である診療支援システムの動作例を示すフローチャートである。
【図１１】  本発明の第３の実施形態である診療支援システムの概略構成を示すブロック図である。
【図１２】  本発明の第３の実施形態である診療支援システムの動作例を示すフローチャートである。
【図１３】  従来の診療支援システムの概略構成を示すブロック図である。
【符号の説明】
１  記憶装置
２  入力／表示装置
２ａ  入力操作装置
２ｂ  表示装置
３  制御装置
３ａ  表示データ生成制御部
３ｂ  記憶データ更新制御部
３ｃ  印字データ生成制御部
４  通信装置
５  印刷装置
【図１】
0003950624.tif 000002
【図２】
0003950624.tif 000003
【図３】
0003950624.tif 000004
【図４】
0003950624.tif 000005
【図５】
0003950624.tif 000006
【図６】
0003950624.tif 000007
【図７】
0003950624.tif 000008
【図８】
0003950624.tif 000009
【図９】
0003950624.tif 000010
【図１０】
0003950624.tif 000011
【図１１】
0003950624.tif 000012
【図１２】
0003950624.tif 000013
【図１３】
0003950624.tif 000014